(57)【要約】【課題】外部コンピュータから分析依頼を行う自動分析装置及び自動分析システムにおいて、分析依頼から自動分析装置への検体投入までの時間短縮、及びオペレーション開始前に試薬など消耗品の必要量をチェックして残量不足をオペレータに知らせることで効率の良い運用を可能とするしくみを提供すること。【解決手段】外部コンピュータへの分析依頼入力後、直ちに自動分析装置に分析依頼情報を送信し、自動分析装置側では、受信した分析依頼情報から試薬などの消耗品の必要量を求め、装置で保持している消耗品に不足が生じた場合は画面で残量不足を表示することで、オペレータに消耗品の補充を促す。また、分析依頼情報受信と同時にオペレーションを開始し、遠心分離などの前処理を実施した検体が自動分析装置に到着後、すぐに投入できる状態としておくことで、自動分析装置、及び自動分析システム運用の効率アップに貢献することが可能となる。【選択図】図１
2014142216.tif 000002
【特許請求の範囲】
【請求項１】
生体由来の検体と試薬の化学反応によって検体中の目的成分を分析する少なくとも１台の自動分析装置と、
前記自動分析装置と通信手段によって接続された外部コンピュータと、を備えた自動分析システムであって、
当該外部コンピュータは、
前記自動分析装置で行う分析の依頼を入力する入力手段と、
前記入力手段により入力された検体の分析依頼情報を、当該検体が自動分析装置へ投入されるのに先立って予め自動分析装置に送信する送信手段と、
前記送信手段による送信への応答として、自動分析装置内に保持された分析依頼情報に関連する試薬の残量に関する情報を受信する手段と、
受信した試薬の残量に関する情報を通知する通知手段と、を備えたことを特徴とする自動分析システム。
【請求項２】
請求項１記載の自動分析システムであって、
前記自動分析装置は、前記外部コンピュータから送信された分析依頼情報を受信した後に、分析開始準備動作を開始することを特徴とする自動分析システム。
【請求項３】
請求項２記載の自動分析システムにおいて、
前記自動分析装置は装置内にある検体が有する識別ＩＤを読取る読取装置を備え、
前記読取装置によって読取られた識別ＩＤが、前記外部コンピュータから予め送信されている分析依頼情報内の識別ＩＤと一致するとき、前記外部コンピュータからの分析依頼情報に従って目的成分の分析を実施することを特徴とする自動分析システム。
【請求項４】
請求項１記載の自動分析システムにおいて、
前記通知手段は、外部コンピュータから送信された分析依頼情報に関連する試薬の残量が、当該分析依頼を実施するのに不足している場合に、その旨を表示する画面であることを特徴とする自動分析システム。
【請求項５】
請求項４記載の自動分析システムにおいて、
前記画面は外部コンピュータの操作画面であることを特徴とする自動分析システム。
【請求項６】
請求項１記載の自動分析システムにおいて、
前記送信手段は、外部コンピュータに対して複数台の自動分析装置が接続されている場合に、分析依頼情報を送信する自動分析装置を選択する選択手段を備えることを特徴とする自動分析システム。
【請求項７】
請求項１記載の自動分析システムにおいて、
前記読取装置が、前記外部コンピュータから送信された分析依頼情報に含まれる識別ＩＤを有する検体を認識しない場合、自動的に分析依頼をキャンセルする手段を備えたことを特徴とする自動分析システム。
【請求項８】
請求項１記載の自動分析システムにおいて、
前記自動分析装置は、同一の分析項目を分析可能な第一の自動分析装置及び第二の自動分析装置を含み、
前記複数の自動分析装置間で検体を搬送する搬送システムと、
第一の自動分析装置から受信した試薬の残量に関する情報に基づき、依頼された分析項目を当該第一の自動分析装置で実行可能か否かを判断する判断手段と、を備え、
前記送信手段は、前記判断手段において実行不可と判断された場合には、前記第二の自動分析装置へ分析依頼情報を送信することを特徴とする自動分析システム。
【請求項９】
通信手段によって接続された外部コンピュータによる、生体由来の検体と試薬の化学反応によって検体中の目的成分を分析する少なくとも１台の自動分析装置の制御方法であって、
前記外部コンピュータから前記自動分析装置で行う分析の依頼を入力するステップと、
入力された検体の分析依頼情報を、当該検体が自動分析装置へ投入されるのに先立って予め自動分析装置に送信するステップと、
当該自動分析装置内に保持された分析依頼情報に関連する試薬の残量に関する情報を受信するステップと、
受信した試薬の残量に関する情報を表示するステップと、を備えたことを特徴とする制御方法。
【請求項１０】
請求項９記載の制御方法において、
第一の自動分析装置から受信した試薬の残量に関する情報に基づき、依頼された分析項目を当該第一の自動分析装置で実行可能か否かを判断するステップと、
前記第一の自動分析装置で実行不可と判断された場合には、前記第二の自動分析装置へ分析依頼情報を送信するステップと、を有することを特徴とする制御方法。
【発明の詳細な説明】
【技術分野】
【０００１】
本発明は、血液や尿などの検体の分析を行う自動分析装置及び自動分析システムに係り、特に目的とする成分の分析依頼情報を外部コンピュータから送信する手段を備えた自動分析装置及び自動分析システムに関するものである。
【背景技術】
【０００２】
外部コンピュータから分析依頼を行う自動分析装置、及び自動分析システムでは、分析依頼された情報を外部コンピュータが保持し、自動分析装置で検体の識別ＩＤが認識された後、外部コンピュータに対して認識した識別ＩＤの分析依頼情報を問い合わせ、取得した分析依頼情報で分析を実施するのが一般的である。
【０００３】
例えば、特許文献１には、サンプル容器のサンプル識別用バーコードをバーコードリーダによって読み取り、外部コンピュ−タに送信し、外部コンピュータはそれらの識別コードに対応する各種のデ−タを読み出して自動分析装置のコンピュータに送って各種試料の分析を行なう自動分析システムが開示されている。
【先行技術文献】
【特許文献】
【０００４】
【特許文献１】特開平８−２６２０２９号公報
【発明の概要】
【発明が解決しようとする課題】
【０００５】
特許文献１に記載の装置は、サンプルをディスク上に載置するものであり、検体をセットしてから外部コンピュータから分析依頼を入力して分析を実行させる。
【０００６】
しかし、多くの場合、投入前の検体は遠心分離などの前処理を実施する必要があることや、自動分析システムの大型化により外部コンピュータと自動分析装置が別の部屋に設置されている場合がある。この場合、外部コンピュータから分析依頼情報が入力されてから、実際に自動分析装置に検体が投入・到着するまでに、ある程度時間かかる場合がある。さらに、夜間運用などでは、自動分析装置はスタンバイ状態やスリープ状態となっていることも多い。この場合、検体が到着してから装置の立ち上げ動作を開始するため、迅速に分析を開始できない場合もある。
【０００７】
また、従来は、自動分析装置に検体が到着した時点で、自動分析装置側で検体の識別ＩＤを認識し、当該検体に依頼されている分析項目情報を外部コンピュータから取得している。自動分析装置側で管理されている消耗品情報と外部コンピュータから取得した依頼分析情報をつき合わせて、初めて判別することができる消耗品不足状況は、分析を依頼した時点では検知することができない。そのため、分析中に消耗品を補充できない自動分析装置においては、分析が終了した後に不足した消耗品を補充し、消耗品不足により分析できなかった項目を再分析する必要がある。
【０００８】
本発明が解決しようとする課題は、分析依頼から自動分析装置への検体投入までの時間短縮、及び分析開始前に試薬などの消耗品の必要量をチェックすることで効率の良い運用を可能とする自動分析装置、及び自動分析システムを提供することである。
【課題を解決するための手段】
【０００９】
上記目的を達成する為の本発明の構成は以下の通りである。
【００１０】
外部コンピュータからの分析依頼情報の入力の後、入力された検体の分析依頼情報を、当該検体が自動分析装置へ投入されるのに先立って予め自動分析装置に送信する送信手段と、送信手段による送信への応答として、自動分析装置内に保持された分析依頼情報に関連する試薬の残量に関する情報を受信する手段と、受信した試薬の残量に関する情報を通知する通知手段を、外部コンピュータに設ける。
【００１１】
本願発明の他の構成としては、さらに、外部コンピュータから送信された分析依頼情報を受信した後に、分析開始準備動作を開始する手段を自動分析装置に設ける。
【００１２】
これらの構成により、自動分析装置、及び自動分析システム運用の効率アップに貢献できる。
【発明の効果】
【００１３】
外部コンピュータからの分析依頼情報を直ちに自動分析装置に送信することにより、試薬などの消耗品の残量を事前チェック可能となり、実際に検体が自動分析装置で分析開始される事前に消耗品を補充することが可能となる。
【００１４】
また、分析依頼と同時にオペレーションを開始することで、検体投入可能となるまでの時間を遠心分離などの検体の前処理に充てることも可能となり、自動分析装置、及び自動分析システム運用の効率アップが図れる。
【図面の簡単な説明】
【００１５】
【図１】本発明の第一実施例を示す構成図である。
【図２】検体容器、および検体識別用バーコードを示す図である。
【図３】外部コンピュータから検査項目を依頼する画面の一例である。
【図４】自動分析装置の操作画面、および外部コンピュータの操作画面に表示する消耗品の残量を示す画面の一例である。
【図５】外部コンピュータからの分析依頼で消耗品の不足が発生したためにオペレーションを開始できないときに自動分析装置で表示する画面の一例である。
【図６】本発明の第二実施例を示す構成図である。
【図７】外部コンピュータに複数台の自動分析装置が接続されている場合に、分析依頼の送信先を指定する画面の一例である。
【図８】本発明の第三実施例を示す構成図である。
【発明を実施するための形態】
【００１６】
以下、本発明の好適な実施形態を図面に基づいて説明する。
【実施例１】
【００１７】
図１は本発明装置の一実施例である。図１において１−１は自動分析装置、１−２は自動分析装置の操作部、１−３は分析依頼を行う外部コンピュータである。操作部１−２と外部コンピュータ１−３は通信回線１−４で接続されている。
【００１８】
なお、本発明において外部コンピュータとは、自動分析装置に備えられる操作部とは別に設けられ、自動分析装置と距離的に離れた位置に設置されているものを含み、検体の分析依頼情報を入力する装置である。また、本発明において自動分析装置は検体に対して分析前に必要となる処理（遠心分離処理、開栓処理、子検体分注処理など）を実行する検体前処理装置に連結されているシステムも含む。
【００１９】
自動分析装置は、検体容器を載せた検体搬送ラック１−６を搬送する搬送装置と、搬送されてきた検体搬送ラックに貼付されたバーコードラベル、または検体搬送ラックに載置された検体容器に貼付されたバーコードラベルを読取る検体識別用バーコードリーダ１−６と、ラベルの識別情報に基づいて検体搬送ラック上の検体容器から検体を分取する検体分注機構１−７と、を備えている。検体分注機構１−７は所定の量の検体を吸引し、反応ディスク１−８上の反応容器設置位置１−９に設置されている反応容器内に吐出する。さらに、試薬ボトル１−１０に収納された試薬を吸引し、反応容器内に吐出する試薬分注機構１−１１を備える。反応容器中の検体と試薬を混合して生成した反応液を、所定の時間反応ディスク上で、反応させ、その後、反応液吸引ノズル１−１２ａ，１−１２ｂにより吸引し、検出器１−１３ａ，１−１３ｂに供給して、反応液の分析を実行する。
【００２０】
図２は検体容器２−１と、検体を認識する検体ＩＤ情報を記憶した検体識別用バーコード２−２を示す図である。検査項目の分析依頼を外部コンピュータ１−３で入力する。入力された分析依頼情報は、通信回線１−４を通じて自動分析装置の操作部１−２に送信される。操作部１−２は、表示部１−２ａ、入力部１−２ｂ、記憶部１−２ｃを備えており、受信した分析依頼情報は記憶部１−２ｃ内に記憶される。
【００２１】
図３は、外部コンピュータから検査項目を依頼する画面の一例である。
【００２２】
まず、検体ＩＤを検体ＩＤ入力領域３−１に入力する。検体ＩＤは、外部コンピュータに備え付けたバーコードリーダ（図示せず）により検体容器に貼り付けたバーコード２−２を読込ませても良い。次に検査項目選択ボタン３−２により、この検体について実行する検査項目を選択する。検査項目は複数選択することができる。
【００２３】
当該検体の分析依頼情報を、自動分析装置の操作部１−２側に送信する場合は、送信ボタン３−４を押下する。複数検体の分析依頼情報を一括して自動分析装置に送信する場合は、保存ボタン３−３を押下して分析依頼情報を一時保存し、複数検体の分析依頼終了後に一括送信ボタン３−５を押下する。
【００２４】
また、分析依頼送信後の自動分析装置でのオペレーション開始有無は、分析依頼送信後のオペレーション開始要求を設定する領域３−６の、送信後オペレーション開始の入力によって指定する。外部コンピュータから送信した分析依頼情報は、自動分析装置の操作部で受信し、操作部内の記憶部１−２ｃに記憶する。分析依頼情報中に分析依頼送信後のオペレーション開始要求を設定する領域３−６で指定されたオペレーション開始要求がある場合は、この時点でオペレーションをスタートする。メンテナンス実行中の場合、メンテナンス終了後にオペレーションをスタートする。また、スリープ状態となっている場合は、スリープを解除し、スタンバイに遷移後オペレーションをスタートする。なお、オペレーション開始時に特定の準備動作を実施するような設定となっている場合は、準備動作を実施後にオペレーションを開始する。
【００２５】
外部コンピュータ１−３からの分析依頼情報を受信すると、自動分析装置は、依頼された検査項目を全て分析できるかどうか、試薬、洗剤、反応容器などの消耗品の残量をチェックする。残量不足がある場合、操作部内の表示部１−２ａに不足する消耗品情報を表示し、オペレータに通知する。図４は表示部１−２ａに表示される残量不足表示画面の一例である。残量不足表示画面は、外部コンピュータの操作画面に表示することもできる。
【００２６】
残量不足表示画面は、分析依頼情報に基づいた分析依頼項目毎の使用予定４−１と残量４−２、使用予定と残量とを比較して得られる不足状況４−４を表示する。残量不足発生時に自動で表示されるほか、オペレータによる画面操作により表示させても良い。閉じるボタン４−４を押下することで本画面を閉じる。本画面表示中に再度分析依頼があれば、リアルタイムでリフレッシュ表示するようにすることが望ましい。
【００２７】
図５はオペレーションを開始できない場合に、操作部内表示部１−２ａに表示する画面の一例である。試薬、洗剤、反応容器などの消耗品の残量チェックにより残量不足となった項目が、オペレーション開始後には補充などの対応ができない場合、分析依頼情報中に３−６で指定されたオペレーション開始要求があっても、オペレーションを開始しない。閉じるボタン５−１を押下することにより本画面を閉じる。
【００２８】
これらの画面を備えることにより、外部コンピュータから分析依頼情報を送信した後すぐに、自動分析装置の消耗品残量状況を把握することができる。分析依頼情報に含まれる項目に使用する消耗品が不足する場合は、検体を自動分析装置に投入する前や、検体が自動分析装置側に到達する前に、消耗品を補充することができるため、分析中に消耗品追加のために動作を停止させる必要がない。
【００２９】
検体容器２−１は、検体搬送ラック１−５に設置され、分析装置１−１に投入される。検体識別用バーコードリーダ１−６によりバーコード２−１を読み取る。操作部内の記憶部には、分析依頼の検体を特定する識別ＩＤが記憶されている。記憶した分析依頼情報の識別ＩＤと、自動分析装置へ搬送されてきた検体に付されているバーコードより読み取った識別ＩＤで一致するものがあれば、その分析依頼情報に従って分析を行う。一致するものがない場合は、バーコードより読取った識別ＩＤで外部コンピュータに分析依頼情報の有無を問い合わせる。外部コンピュータにも分析依頼情報がない場合は、当該検体の分析は行わない。
【００３０】
検体の識別を行った後、分析依頼情報に適合する場合には、検体分注機構１−７により検体を反応ディスク１−８に設置された反応容器１−９に分注する。
【００３１】
検査項目の分析に対応した試薬ボトル１−１０から試薬を試薬分注機構１−１１により反応容器設置位置１−９に設置した反応容器に分注し、化学反応させる。その後、反応液を吸引ノズル１−１２ａ、１−１２ｂにより吸引して検出器１−１３ａ、１−１３ｂに送り、反応液の発光量や吸光度などを電気信号に変換し、それを計測することで目的成分の定量を行う。
【００３２】
外部コンピュータ１−３より分析依頼のあった検体が、一定時間装置に投入されなかった場合は、その分析依頼はキャンセルし、操作部内の記憶部１−２ｃに記憶している分析依頼情報は削除する。ただし、一定時間経過し、分析依頼情報が削除された後に検体が投入された場合でも、検体ＩＤ認識後に外部コンピュータに分析依頼を問い合わせることにより、分析を実施できる。また、分析依頼情報は、分析完了後に削除する。
【実施例２】
【００３３】
図６は、一台の外部コンピュータ６−３に複数台の自動分析装置６−１が接続された一実施例である。
【００３４】
従来は、検体が自動分析装置の近傍に到着してから、試薬不足などによる分析不可能状態が認識されていたため、いざ検体が自動分析装置に到着した後に分析実行不可能であると判明した場合に迅速な対応ができなかった。すなわち、オペレータは当該試薬の残量がある他の自動分析装置を探し、外部コンピュータからその自動分析装置に分析依頼を立て直してから、当初の自動分析装置の中から検体を探し出して、他の自動分析装置の投入口まで検体を持っていく必要があった。そのため、その後の処理に時間がかかる上に、他の検体の処理スピードまで落ちてしまうこともあった。
【００３５】
本実施例では、外部コンピュータ６−３は、通信回線６−４で各自動分析装置６−１Ａ〜６−１Ｃの操作部６−２Ａ〜６−２Ｃと接続されている。外部コンピュータ６−３からの分析依頼では、図３の検査項目依頼画面で分析依頼する際に、送信ボタン３−４または、一括送信ボタン３−５押下後に、図７の送信先指定画面により、分析依頼を送信する自動分析装置を選択する。
【００３６】
接続されている全ての自動分析装置に対して同じ内容の分析依頼をするか否かを７−１全装置一括送信の入力によって指定する。全ての自動分析装置に対して同じ内容の分析依頼をしない場合は、各項目に、送信先の自動分析装置を７−２により指定する。その後、送信ボタン７−３押下により、分析依頼情報が、各自動分析装置に送信される。
【００３７】
本実施例の場合、試薬不足などにより分析不可能な検査項目が発生し、自動分析装置から異状応答があった場合に迅速な対応が可能となる。つまり、当該検査項目が外部コンピュータ６−３に接続されている他の自動分析装置で分析可能なものがあれば、分析依頼情報を送信し、その後自動分析装置からの通信により消耗品残量に関する情報が通知された時点で、分析不可能である検査項目を分析可能な他の自動分析装置に分析依頼することができる。この場合の分析依頼は自動的に行うことが望ましく、分析可能な自動分析装置が複数ある場合は、外部コンピュータ６−３に登録されている名称順などにより分析依頼先を決定する。自動分析装置６−１が複数の分析装置に検体を順次搬送していく検体搬送システムなどに接続されていれば、検体の搬送先を自動的に変更することも可能となる。
【００３８】
図８は、複数台の外部コンピュータ８−３Ａ，８−３Ｂに複数台の自動分析装置８−１Ａ，８−１Ｂ，８−１Ｃが接続された一実施例である。各外部コンピュータと自動分析装置は通信回線８−４で各自動分析装置の操作部８−２Ａ〜８−２Ｃと接続され、各外部コンピュータからは送信先自動分析装置を指定して分析依頼を実施する。この場合も、図６に示した構成例と同様に、一部の自動分析装置での試薬不足が生じた場合に、他の自動分析装置へ自動的に分析依頼情報を送信し、検体搬送システムにより検体を適切な自動分析装置へ搬送するように制御することができる。
【符号の説明】
【００３９】
１−１，６−１，８−１  自動分析装置
１−２，６−２，８−２  自動分析装置の操作部
１−２ａ  自動分析装置の操作部内表示部
１−２ｂ  自動分析装置の操作部内入力部
１−２ｃ  自動分析装置の操作部内記憶部
１−３，６−３，８−３  外部コンピュータ
１−４，６−４，８−４  通信回線
１−５  検体搬送ラック
１−６  検体識別用バーコードリーダ
１−７  検体分注機構
１−８  反応ディスク
１−９  反応容器設置位置
１−１０  試薬ボトル
１−１１  試薬分注機構
１−１２ａ，１−１２ｂ  反応液吸引ノズル
１−１３ａ，１−１３ｂ  検出器
２−１  検体容器
２−２  検体識別用バーコード
３−１  検体ＩＤ入力領域
３−２  検査項目選択ボタン
３−３  分析依頼情報保存ボタン
３−４，７−３  分析依頼情報送信ボタン
３−５  分析依頼情報一括送信ボタン
３−６  分析依頼送信後のオペレーション開始要求を設定する領域
４−１  分析依頼による消耗品の使用予定量
４−２  消耗品の残量
４−３  消耗品の残量不足状況
４−４，５−１  ウィンドウを閉じるためのボタン
７−１  分析依頼情報を全ての自動分析装置に対しての送信有無設定領域
７−２  検査項目毎の分析依頼送信先自動分析装置を指定する表
【図１】
2014142216.tif 000003
【図２】
2014142216.tif 000004
【図３】
2014142216.tif 000005
【図４】
2014142216.tif 000006
【図５】
2014142216.tif 000007
【図６】
2014142216.tif 000008
【図７】
2014142216.tif 000009
【図８】
2014142216.tif 000010